【手続補正書】
【提出日】平成22年3月19日(2010.3.19)
【手続補正１】
【補正対象書類名】特許請求の範囲
【補正対象項目名】全文
【補正方法】変更
【補正の内容】
【特許請求の範囲】
【請求項１】
自分に接続された他の機器に装着された記録メディアに記録されている動画像のコンテンツをダビングする記録装置であって、
前記記録メディアと前記記録メディアに記録されている前記コンテンツを構成する単位データであるシーンのうち、既にダビングされたシーンを特定する識別子とを対応付けた情報を記憶するデータベースを有し、
前記他の機器の記録メディアが、前記コンテンツを構成するシーン毎に、固有の識別子が付加されて前記コンテンツを記録することが可能な所定の種類の記録メディアであるか
否かを判定するメディア種類判定手段と、
前記メディア種類判定手段の判定の結果、前記他の機器の記録メディアが、前記所定の種類の記録メディアであると判定された場合、前記データベースに記憶されている前記情報に基づいて、前記既にダビングされたシーン以外のシーンを、新たにダビングすべきシーンとしてダビング範囲を設定するダビング範囲設定手段と
を備える記録装置。
【請求項２】
前記ダビング範囲設定手段は、
前記データベースに記憶されている前記情報に基づいて、前記コンテンツを構成する時間的に連続するシーンのうち、新たにダビングする最初のシーンを特定し、
前記ダビングされたコンテンツを記録する自分の記録メディアの空き容量に基づいて、前記コンテンツを構成する時間的に連続するシーンのうち、新たにダビングする最後のシーンを特定することで前記ダビング範囲を設定する
請求項１に記載の記録装置。
【請求項３】
前記メディア種類判定手段の判定の結果、前記他の機器の記録メディアが、前記所定の種類の記録メディアではないと判定された場合、
前記ダビング範囲設定手段は、
前記他の機器の記録メディアに記録されている時間的に最も古いシーンを、新たにダビングする最初のシーンとして特定する
請求項２に記載の記録装置。
【請求項４】
前記シーンの撮影日に基づいて記録単位のデータであるタイトルを生成し、前記タイトルを自分の記録メディアに記録する記録実行手段をさらに備える
請求項１に記載の記録装置。
【請求項５】
自分に接続された他の機器に装着された記録メディアに記録されている動画像のコンテンツをダビングする記録装置の記録方法であって、
前記他の機器の記録メディアが、前記コンテンツを構成するシーン毎に、固有の識別子が付加されて前記コンテンツを記録することが可能な所定の種類の記録メディアであるか否かを判定し、
前記判定の結果、前記他の機器の記録メディアが、前記所定の種類の記録メディアであると判定された場合、前記記録メディアと前記記録メディアに記録されている前記コンテンツを構成する単位データであるシーンのうち、既にダビングされたシーンを特定する識別子とを対応付けた情報を記憶するデータベースに記憶されている前記情報に基づいて、前記既にダビングされたシーン以外のシーンを、新たにダビングすべきシーンとしてダビング範囲を設定する
ステップを含む記録方法。
【請求項６】
コンピュータを、
自分に接続された他の機器に装着された記録メディアに記録されている動画像のコンテンツをダビングする記録装置であって、
前記記録メディアと前記記録メディアに記録されている前記コンテンツを構成する単位データであるシーンのうち、既にダビングされたシーンを特定する識別子とを対応付けた情報を記憶するデータベースを有し、
前記他の機器の記録メディアが、前記コンテンツを構成するシーン毎に、固有の識別子が付加されて前記コンテンツを記録することが可能な所定の種類の記録メディアであるか否かを判定するメディア種類判定手段と、
前記メディア種類判定手段の判定の結果、前記他の機器の記録メディアが、前記所定の種類の記録メディアであると判定された場合、前記データベースに記憶されている前記情報に基づいて、前記既にダビングされたシーン以外のシーンを、新たにダビングすべきシーンとしてダビング範囲を設定するダビング範囲設定手段とを備える記録装置として機能させるための
プログラム。
【請求項７】
他の機器の記録メディアと前記記録メディアに記録されている前記コンテンツを構成する単位データであるシーンのうち、既にダビングされたシーンを特定する識別子とを対応付けた情報を記憶するデータベースを有し、前記他の機器の記録メディアが、前記コンテンツを構成するシーン毎に、固有の識別子が付加されて前記コンテンツを記録することが可能な所定の種類の記録メディアであるか否かを判定するメディア種類判定手段と、前記メディア種類判定手段の判定の結果、前記他の機器の記録メディアが、前記所定の種類の記録メディアであると判定された場合、前記データベースに記憶されている前記情報に基づいて、前記既にダビングされたシーン以外のシーンを、新たにダビングすべきシーンとしてダビング範囲を設定するダビング範囲設定手段とを備える記録装置に接続された前記他の機器に装着される記録メディアであって、
コンテンツを構成するシーン毎に、固有の識別子が付加されて前記コンテンツが記録されている記録メディア。
【請求項８】
記録メディアに記録されているデータをダビングする記録装置であって、
前記記録メディアと前記記録メディアに記録されている単位データのうち、既にダビングされた前記単位データを特定する識別子とを対応付けた情報を記憶するデータベースを有し、
他の機器の記録メディアが、前記単位データ毎に、固有の識別子が付加されて前記データを記録することが可能な所定の種類の記録メディアであるか否かを判定するメディア種類判定手段と、
前記メディア種類判定手段の判定の結果、前記他の機器の記録メディアが、前記所定の種類の記録メディアであると判定された場合、前記データベースに記憶されている前記情報に基づいて、前記既にダビングされた前記単位データ以外の単位データを、新たにダビングすべき単位データとしてダビング範囲を設定するダビング範囲設定手段と
を備える記録装置。
【請求項９】
記録メディアに記録されているデータをダビングする記録装置の記録方法であって、
他の機器の記録メディアが、前記単位データ毎に、固有の識別子が付加されて前記データを記録することが可能な所定の種類の記録メディアであるか否かを判定し、
前記判定の結果、前記他の機器の記録メディアが、前記所定の種類の記録メディアであると判定された場合、前記記録メディアと前記記録メディアに記録されている単位データのうち、既にダビングされた前記単位データを特定する識別子とを対応付けた情報を記憶するデータベースに記憶されている前記情報に基づいて、前記既にダビングされた前記単位データ以外の単位データを、新たにダビングすべき単位データとしてダビング範囲を設定する
ステップを含む記録方法。
【手続補正２】
【補正対象書類名】明細書
【補正対象項目名】００１９
【補正方法】変更
【補正の内容】
【００１９】
本発明の第３の側面は、記録メディアに記録されているデータをダビングする記録装置であって、前記記録メディアと前記記録メディアに記録されている単位データのうち、既にダビングされた前記単位データを特定する識別子とを対応付けた情報を記憶するデータベースを有し、他の機器の記録メディアが、前記単位データ毎に、固有の識別子が付加されて前記データを記録することが可能な所定の種類の記録メディアであるか否かを判定するメディア種類判定手段と、前記メディア種類判定手段の判定の結果、前記他の機器の記録メディアが、前記所定の種類の記録メディアであると判定された場合、前記データベースに記憶されている前記情報に基づいて、前記既にダビングされた前記単位データ以外の単位データを、新たにダビングすべき単位データとしてダビング範囲を設定するダビング範囲設定手段とを備える記録装置である。
【手続補正３】
【補正対象書類名】明細書
【補正対象項目名】００２０
【補正方法】変更
【補正の内容】
【００２０】
本発明の第３の側面は、記録メディアに記録されているデータをダビングする記録装置の記録方法であって、他の機器の記録メディアが、前記単位データ毎に、固有の識別子が付加されて前記データを記録することが可能な所定の種類の記録メディアであるか否かを判定し、前記判定の結果、前記他の機器の記録メディアが、前記所定の種類の記録メディアであると判定された場合、前記記録メディアと前記記録メディアに記録されている単位データのうち、既にダビングされた前記単位データを特定する識別子とを対応付けた情報を記憶するデータベースに記憶されている前記情報に基づいて、前記既にダビングされた前記単位データ以外の単位データを、新たにダビングすべき単位データとしてダビング範囲を設定するステップを含む記録方法である。
【手続補正４】
【補正対象書類名】明細書
【補正対象項目名】００２１
【補正方法】変更
【補正の内容】
【００２１】
本発明の第３の側面においては、他の機器の記録メディアが、前記単位データ毎に、固有の識別子が付加されて前記データを記録することが可能な所定の種類の記録メディアであるか否かが判定され、前記メディア種類判定手段の判定の結果、前記他の機器の記録メディアが、前記所定の種類の記録メディアであると判定された場合、前記記録メディアと前記記録メディアに記録されている単位データのうち、既にダビングされた前記単位データを特定する識別子とを対応付けた情報を記憶するデータベースに記憶されている前記情報に基づいて、前記既にダビングされた前記単位データ以外の単位データを、新たにダビングすべき単位データとしてダビング範囲が設定される。